(57)【要約】      （修正有）【課題】即席食品の破損を抑止すると共に、即席食品から突き出したトゲが容器を突き破りにくい即席食品用容器を提供する。【解決手段】容器１は、容器１の底を塞ぐ底面部４と、底面部４の全周から立ち上がる胴部５と、底面部４と胴部５により画成される内部空間３へ底面部４から膨出する３か所以上の中央側支持突起７とを備える。中央側支持突起７が即席食品１００を底面部４よりも高い位置で受け止め、梱包時に即席食品１００が底面部４へ向けて落下してきても、あるいは輸送時に即席食品１００が動いても、即席食品１００から突き出したトゲの底面部４への到達を抑制する。【選択図】図１
2018131233.tif 000002
【特許請求の範囲】
【請求項１】
即席食品を収容する上面が開口した容器であって、
該容器の底を塞ぐ底面部と、
前記底面部の全周から立ち上がる胴部と、
前記底面部と前記胴部により画成される容器内部空間へ前記底面部から膨出する３か所以上の突起と、
を備えること、
を特徴とする即席食品用容器。
【請求項２】
前記底面部の中央領域に上げ底を更に備え、
前記突起は、前記上げ底から前記容器内部空間に膨出すること、
を特徴とする請求項１記載の即席食品用容器。
【請求項３】
前記突起は、曲面で構成されたドーム形状を有すること、
を特徴とする請求項１又は２記載の即席食品用容器。
【請求項４】
前記底面部の各辺と前記胴部との境界から前記容器内部空間へ膨出する４か所以上の棚を更に備えること、
を特徴とする請求項１乃至３の何れかに記載の即席食品用容器。
【請求項５】
前記棚は、前記底面部の各辺につき、辺の中心から等距離の位置の２か所から膨出すること、
を特徴とする請求項４記載の即席食品用容器。
【請求項６】
前記突起と前記棚は、前記底面部の枠状の端領域を内周側及び外周側から包囲して配置されること、
を特徴とする請求項４又は５記載の即席食品用容器。
【請求項７】
前記枠状の端領域は、前記底面部の各辺まで及ぶ糸尻であること、
を特徴とする請求項６記載の即席食品用容器。
【請求項８】
前記内部空間に収容される即席食品と、
前記胴部の口縁に貼り付いたシートと、
を更に備え、
前記即席食品が前記容器内部空間に密閉されること、
を特徴とする請求項１乃至７の何れかに記載の即席食品用容器。
【発明の詳細な説明】
【技術分野】
【０００１】
本発明は、即席食品を収容する即席食品用容器に関する。
【背景技術】
【０００２】
即席食品は、各種方法で一塊に固められて容器に梱包される。即席食品は、帯状の麺帯を切刃で線状の麺線にした後、一定の長さに切断し一食分毎金属の枠の中に入れて形を整える。その後、乾燥時に油揚げする手法（フライ麺）及び熱風若しくは真空下で凍結乾燥（フリーズドライ）する手法（ノンフライ麺）が挙げられる。このような即席食品としては、即席ラーメン、焼きそば及びパスタ等の麺類が例示できる。即席食品を収容する容器は、底面部の全周を囲んで上方へ拡開しながら立ち上がる胴部を有し、上面に開く口の大きさが即席食品よりも大きく設定されている。そのため、自動包装ラインによって即席食品を容器内に嵌め込み収容することが容易となる（例えば、特許文献１参照）。
【０００３】
自動包装ラインでは即席食品を容器に向けて上方から落下させる。傾斜した胴部は、底面部へ向けて自由落下しようとする即席食品を壁面で滑らせ、所謂いなし効果により、即席食品と容器の底面部との衝突を緩和させる役割を果たす。また、即席食品は容器に収容した後も運搬によって容器内で揺動することがあり、この即席食品の運搬中においても、傾斜した胴部は、即席食品を滑らせて底面部への衝撃を緩和している。
【０００４】
即席食品の製造工程において、とりわけ、油揚げにて乾燥させる際には、金属の枠の中に押えられた状態の下方に対し相対する上方は、麺線が自由な状態のままで乾燥されるために突出したトゲ状に麺先が突き出すことがある。即席食品から突き出たトゲ状の麺線（以下トゲと称す）が容器に突き刺さると、容器に孔が開く虞がある。ラーメンや焼きそば等の麺の塊から突き出した麺先が容器に突き刺さってしまうことを、「麺刺さり」と呼んでいる。即席食品を滑らせる胴部は、即席食品から突き出したトゲの穿刺力を弱め、トゲが容器を突き破ることを抑制している。
【先行技術文献】
【特許文献】
【０００５】
【特許文献１】特開２００２−３０８３４６号公報
【特許文献２】特許第４３４１０９４号公報
【発明の開示】
【発明が解決しようとする課題】
【０００６】
容器の上面は開放されており、従来は、蓋を容器に嵌め込んで上面から被せることで密閉する嵌合様式の包装形態を採っていた。しかしながら、嵌合様式の包装形態を用いると、蓋による密閉性が問題となって容器に異物が混入する虞がある。そこで、近年は、容器の上面にシートフィルムを熱融着等によって貼り付けている。
【０００７】
即席食品は、お湯を注ぎ麺の湯戻り後に喫食する為に、シールフィルムを一部残した状態にて調理することが想定される。例えば、注入した湯を麺の湯戻りにて使用後に排出する形態のやきそばやパスタ等の食品においては、排出時に湯切り形状を有したフィルムが採用されており（例えば、特許文献２参照）、シートフィルムが全て剥がされることはない。そうすると、容器内には即席食品以外にもスープやかやく等の包装袋が収容されていることがあるが、この包装袋が取り出し難くなったり、残存の包装袋に気づかなかったりする虞がある。特に、包装袋が即席食品と胴部の間の隙間に落ち込んだり、包装袋が即席食品の下に潜ってしまうと、包装袋が格段に取り出し難くなり、また包装袋の残存に気づかない可能性が高まる。
【０００８】
そこで、近年、即席食品の外部形状と容器の内部形状とをほぼ合致させるようにし、即席食品と容器の胴部との間の隙間を狭くし、包装袋が即席食品と胴部との間に落ち込みにくくしている。即席食品と容器の胴部との間の隙間を狭くするには、胴部の傾斜角度を垂直に近づけることが簡便である。
【０００９】
しかしながら、胴部の傾斜角度をきつくした場合、即席食品を胴部に沿って滑らせる、いなし効果が低減する。そのため、即席食品が容器の底面部に向けて垂直落下する頻度が高くなり、即席食品と容器の底面部との衝撃が緩和し難く、麺塊が衝撃により破損したり、即席食品から突き出したトゲが容器に孔を開け易くなる。
【００１０】
尚、胴部の傾斜角度を確保できたとしても、即席食品が胴部に当たらずに底面部へ垂直落下する場合がある。このとき、即席食品から突き出したトゲが容器を突き破ってしまうこともある。そのため、容器の蓋の種類に限らず、胴部の傾斜の程度に関わらず、上記の容器ほど顕著でないにしろ、多かれ少なかれ同様の問題を抱えている。
【００１１】
本発明は、上記のような従来技術の問題点を解決するために提案されたものであり、その目的は、麺塊の破損を防ぐと共に、即席食品から突き出したトゲが容器を突き破りにくい即席食品用容器を提供することにある。
【課題を解決するための手段】
【００１２】
上記の目的を達成するため、本発明の即席食品用容器は、即席食品を収容する上面が開口した容器であって、該容器の底を塞ぐ底面部と、前記底面部の全周から立ち上がる胴部と、前記底面部と前記胴部により画成される容器内部空間へ前記底面部から膨出する３か所以上の突起と、を備えること、を特徴とする。
【００１３】
前記底面部の中央領域に上げ底を更に備え、前記突起は、前記上げ底から前記容器内部空間に膨出するようにしてもよい。
【００１４】
前記突起は、曲面で構成されたドーム形状を有するようにしてもよい。
【００１５】
前記底面部の各辺と前記胴部との境界から前記容器内部空間へ膨出する４か所以上の棚を更に備えるようにしてもよい。
【００１６】
前記棚は、前記底面部の各辺につき、辺の中心から等距離の位置の２か所から膨出するようにしてもよい。
【００１７】
前記突起と前記棚は、前記底面部の枠状の端領域を内周側及び外周側から包囲して配置されるようにしてもよい。前記枠状の端領域は、例えば、前記底面部の各辺まで及ぶ糸尻である。
【００１８】
前記内部空間に収容される即席食品と、前記胴部の口縁に貼り付いたシートと、を更に備え、前記即席食品が前記容器内部空間に密閉されるようにしてもよい。
【発明の効果】
【００１９】
本発明によれば、麺塊の破損を防ぐと共に、即席食品から突き出したトゲが底面部に刺さりにくく、底面部に孔が開くことが抑制される。
【図面の簡単な説明】
【００２０】
【図１】本実施形態に係る容器を上面開口から見た斜視図である。
【図２】本実施形態に係る容器の平面図である。
【図３】本実施形態に係る容器の正面図である。
【図４】本実施形態に係る容器の底面図である。
【図５】本実施形態に係る容器を底面から見た斜視図である。
【図６】本実施形態に係る容器の断面を示し、図２のＡ−Ｂ−Ｃ−Ｄ−Ｅ−Ｆ線の断面図である。
【図７】本実施形態に係る容器に即席食品を収容させた状態を示し、図２のＡ−Ｂ−Ｃ−Ｄ−Ｅ−Ｆ線の断面図である。
【発明を実施するための形態】
【００２１】
本発明の実施形態に係る即席食用容器について図面を参照しつつ詳細に説明する。
【００２２】
（構成）
図１乃至図６に示す容器１は、典型的にはシート成型により作製される。耐熱性を持たせた、発泡ポリスチレンなどの発泡樹脂材により成るシートを加熱することで、より発泡性を付加しつつ軟化させ、真空や圧空を用いて容器１の内面側形状と外面側形状を有する雄型と雌型で挟み込み成型する。この容器１は、主に即席食品１００を収容する。即席食品１００は、乾燥時に油揚げするフライ麺及び熱風若しくは真空下で凍結乾燥するノンフライ麺が挙げられ、上記手法を用いて麺線を一塊に固められて成る。この即席食品１００は、例えば油揚げにて乾燥する手法や熱風乾燥若しくは真空下で凍結乾燥する手法によって製造された即席ラーメンや焼きそば及びパスタ等の麺類である。
【００２３】
容器１は、上面２が開口して内部空間３に通じる略四角錐台形状を有し、底から上面２に向けて次第に拡開している。底面部４は、即席食品１００の大きさにほぼ一致させた概略正方形である。胴部５は、底面部４の全周を囲って立ち上がっている。この胴部５は、底面部４から垂直乃至急傾斜で立ち上がり、上面２側で一度緩やかな傾斜に変化して上面２が即席食品１００よりも大きく開くように外方へ拡がった後、垂直乃至垂直に近い傾斜で上面２に向かう。これにより、容器１の上面２側は即席食品１００よりも大きく、容器１の底面部４側は即席食品１００の大きさとほぼ一致する。
【００２４】
口縁６は、胴部５の上端が外側に折り返されることで幅広に張り出す。口縁６には、即席食品１００が収容された後、容器１の上面２を塞ぐ大きさの概略正方形のシートフィルムが熱融着されることになる。容器１は、このシートフィルムとともに即席食品１００を内部に閉じ込める。尚、容器１の各コーナーは、滑らかな丸みが付けられている。
【００２５】
底面部４の中央領域には上げ底４１が設けられている。上げ底４１は、底面部４と相似の概略正方形を有し、容器１の内部空間３側へ膨出して一段高くなっている。上げ底４１からは、内部空間３側へ中央側支持突起７が膨出している。中央側支持突起７は、即席食品１００を面で支えるべく、少なくとも３か所に形成され、望ましくは上げ底４１の四隅に形成されている。この中央側支持突起７は、曲面で構成され、上面視で円形、側面視で滑らかな山型のドーム形状を有する。尚、中央側支持突起７は、底面部４に設けられ、内部空間３側へ膨出すれば、必ずしも上げ底４１に形成される必要はなく、上げ底４１が無い容器１においても底面部４の中央領域から膨出させればよいが、上げ底４１から膨出させれば、高さを稼ぐことができ、シート成型によって密度が疎にならず、強度を保てる。
【００２６】
底面部４と胴部５との境界４３には、内部空間３側へ底縁側支持棚８が膨出している。底縁側支持棚８は、即席食品１００の端領域を支えるべく、底面部４の各辺に少なくとも１か所形成され、望ましくは、辺中央から等距離の位置に２か所ずつ、計８か所に形成されている。更に望ましくは、底縁側支持棚８は、強度が相対的に弱い辺端から少し離して、辺中央寄りに設けられるとよい。この底縁側支持棚８は、容器の縁に沿って長めであり、中央が平坦で、それ以外が滑らかに湾曲しており、９０度ずつ４分割した俵片の形状を有する。
【００２７】
上げ底４１の四隅に形成された中央側支持突起７と底面部４の各辺に２か所ずつ形成された底縁側支持棚８は、換言すると、上げ底４１の周囲に発生する枠状の領域である糸尻部４２を内周側及び外周側から包囲するように配置されることになる。シート成型された容器１は、上げ底４１と比べて糸尻部４２の密度が疎になっており強度が相対的に弱い。
【００２８】
尚、中央側支持突起７と底縁側支持棚８は、糸尻部４２を基点にした最高点の高さが概略等しいか、中央側支持突起７が高く設定されている。また中央側支持突起７と底縁側支持棚８の裾から最高点までの高さは、即席食品１００から飛び出し得るトゲ１０１の平均的な長さよりも高い。また、中央側支持突起７と底縁側支持棚８の最高点から容器１の上面２までの距離は、即席食品１００の厚みよりも十分に長く設定されている。
【００２９】
（作用）
図７は、容器１に即席食品１００を収容した状態を示す断面図である。容器１に収容された即席食品１００は、食品中央領域が中央側支持突起７で支えられ、食品端領域が底縁側支持棚８で支えられ、底面部４から浮いた状態となる。特に、中央側支持突起７は上げ底４１に形成されているため、糸尻部４２から即席食品１００までの距離は長くなっている。
【００３０】
そのため、即席食品１００が底面部４に向けて垂直落下しても、まず中央側支持突起７が即席食品１００を受け止め、即席食品１００から突き出したトゲ１０１が底面部４へ到達するのを阻む。トゲ１０１は、例えば麺塊から突き出した麺先である。即ち、中央側支持突起７が即席食品１００を底面部４より高い位置で支えることで、即席食品１００から突き出したトゲ１０１が底面部４に届く可能性が低くなる。特に、即席食品１００が突き出したトゲ１０１が糸尻部４２に届く可能性が低くなる。上げ底４１と比べて密度が疎な糸尻部４２とトゲ１０１との非接触は、トゲ１０１が容器１を突き破る可能性を大きく低減させる。
【００３１】
また、底縁側支持棚８は、中央側支持突起７で受け止められた即席食品１００の端を支え、中央側支持突起７で受け止められた即席食品１００が勢いにより傾こうとする動きを阻止する。または、即席食品１００が傾いて落下してきても、底縁側支持棚８が即席食品１００の姿勢を整える。そのため、即席食品１００の端にトゲ１０１が突き出していても、トゲ１０１が糸尻部４２に衝突する可能性は低くなる。
【００３２】
また、容器１が発泡樹脂材により成る場合、中央側支持突起７は柔軟性を有しており、即席食品１００が中央側支持突起７に衝突した瞬間、複数有する中央側支持突起７は弾性変形すると共に衝撃を分散させ、クッション効果と相まって即席食品１００の運動エネルギーを減衰させる。そのため、万一、即席食品１００から突き出したトゲ１０１が底面部４に届く長さを有していたとしても、トゲ１０１が底面部４を突き破るほどの穿刺力を喪失させ得る。また、即席食品１００の破損を防ぐ効果も奏する。尚、中央側支持突起７は所謂肉だまり領域に形成されているため、密度が相対的に高く、またドーム形状により力を分散するため、破壊される可能性が低くなっている。
【００３３】
また、即席食品１００を収容する際、即席食品１００のトゲ１０１が中央側支持突起７に向かうこともある。しかしながら、中央側支持突起７は、ドーム形状を有し、また肉だまり領域に形成されて高い強度を有するため、トゲ１０１を滑らせる所謂いなし効果によって、トゲ１０１の突き刺さりを阻止する。
【００３４】
（効果）
以上のように、容器１は、容器１の底を塞ぐ底面部４と、底面部４の全周から立ち上がる胴部５と、底面部４と胴部５により画成される内部空間３へ底面部４から膨出する３か所以上の中央側支持突起７とを備えるようにした。これにより、中央側支持突起７が即席食品１００を底面部４よりも高い位置で受け止め、梱包時に即席食品１００が底面部４へ向けて落下してきても、あるいは輸送時に即席食品１００が動いても、即席食品１００から突き出したトゲ１０１が底面部４を突き破る可能性が低くなる。また、即席食品１００も衝撃緩和によって破損し難くなる。
【００３５】
また、底面部４の中央領域に上げ底４１を更に備えるようにし、中央側支持突起７は、上げ底４１から内部空間３に膨出するようにした。上げ底４１はシート成型時に肉だまりになっていて密度が高い。上げ底４１無しの状態で、トゲ１０１が刺さり難くなる高さまで中央側支持突起７を膨出する場合と比べて、中央側支持突起７の強度も高くなり、即席食品１００を受け止めても破壊され難くなる。但し、上げ底４１が無くとも、中央側支持突起７は即席食品１００を受け止めることができるため、容器１の材料の種類や材料の使用量、またトゲ１０１の強度等に応じて、上げ底４１に中央側支持突起７を設けるか、上げ底４１無しで中央側支持突起７を設けるか選択すればよい。
【００３６】
また、中央側支持突起７は、曲面で構成されたドーム形状を有するようにした。これにより、中央側支持突起７に即席食品１００のトゲ１０１が向かっても、曲面でトゲ１０１を滑らせる所謂いなし効果により、トゲ１０１が中央側支持突起７に刺さって容器１を突き破ることを抑制できる。
【００３７】
また、底面部４の各辺と胴部５との境界から内部空間３へ膨出する４か所以上の底縁側支持棚８を更に備え、中央側支持突起７と底縁側支持棚８は同一の高さを有するようにした。これにより、即席食品１００の端領域を底縁側支持棚８が支えるため、即席食品１００が傾いて食品端領域が底面部４に近づくことを阻止できる。特に、底面部４の枠状の端領域は、シート成型によって密度が相対的に疎になっているため、この端領域に対する即席食品１００のトゲ１０１の到達を効果的に抑制するできることで、容器１へ孔が開く虞を大幅に低減できる。
【００３８】
この底縁側支持棚８は、底面部４の各辺につき、辺の中心から等距離の位置の２か所から膨出するようにした。これにより、底縁側支持棚８が１か所の場合と比べて、即席食品１００の姿勢を整えやすく、即席食品１００が傾いて底面部４にトゲ１０１が刺さることをより一層抑制することができる。
【００３９】
尚、棚長を辺に沿って長くすることも考えられるが、容器１の容積が小さく見えてしまう。また文字や図形を印刷した包装用フィルムで容器１を覆って包装用フィルムをシュリンクさせた場合に、底縁側支持棚８の形成の結果として生じる容器１の外側の凹みに包装用フィルムが貼りついて、文字や図形が歪んでしまう虞がある。一方、各辺につき２か所の底縁側支持棚８を設けるようにすれば、一つ一つの底縁側支持棚８の長さを短くできるため、容器１の小容積に見えず見栄えが良くなり、また包装用フィルムが底縁側支持棚８に張り付き難く、包装用フィルムの文字や図形が歪むのを阻止できる。
【００４０】
更に、この中央側支持突起７と底縁側支持棚８は、底面部４の枠状の端領域を内周側及び外周側から包囲して配置されることになるので、シート成型の特性上、強度が弱くなる箇所を効果的に保護することが可能となる。
【００４１】
この容器１は、シートの貼り付けにより密閉する方式を採ることで、即席食品１００と胴部５の隙間を狭めた場合に特に有効である。但し、胴部５の傾斜角を確保できても、即席食品１００が底面部４へ向けて垂直落下した場合には、この中央側支持突起７、又はそれに加えて底縁側支持棚８は有効に作用する。従って、容器１の密閉態様が如何様であろうとも、胴部５の傾斜が如何様であっても、この中央側支持突起７、又はこれに加えて底縁側支持棚８を設けるようにしてもよい。
【００４２】
また、この実施形態では、略四角錐台の容器１を例に説明したが、容器１は、四角形、五角形等の多角形錐台であっても、略円筒形であっても、即席食品１００から突き出たトゲ１０１が底面部４を突き破る可能性があれば、何れの概略形状でも採用できる。
【００４３】
更に、中央側支持突起７は、即席食品１００を面で支えるため、最低限３か所に設けられればよく、底面部４の枠状の端領域の保護の程度をいかほど厚くするかに応じて４か所、５か所と数を増やしてもよい。
【００４４】
また、即席食品１００の傾きを防止する観点からは、底縁側支持棚８の数は多ければよいが、傾き阻止の確実性とサイズインプレッションやフィルムの文字や図名のシュリンクとの兼ね合いで数を決定すればよく、底面部４の各辺に最低１か所設けられればよい。
【符号の説明】
【００４５】
１  容器
２  上面
３  内部空間
４  底面部
４１  上げ底
４２  糸尻部
４３  境界
５  胴部
６  口縁
７  中央側支持突起
８  底縁側支持棚
１００  即席食品
１０１  トゲ
【図１】
2018131233.tif 000003
【図２】
2018131233.tif 000004
【図３】
2018131233.tif 000005
【図４】
2018131233.tif 000006
【図５】
2018131233.tif 000007
【図６】
2018131233.tif 000008
【図７】
2018131233.tif 000009
【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
麺塊から突出したトゲ状の麺先を有する即席食品を落下させて収容する上面が開口した容器であって、
該容器の底を塞ぐ底面部と、
前記底面部の全周から立ち上がる胴部と、
前記底面部と前記胴部により画成される容器内部空間へ前記底面部から膨出し、前記即席食品を接触して支持する３か所以上の突起と、
を備えること、
を特徴とする即席食品用容器。
【請求項２】
前記底面部の中央領域に上げ底を更に備え、
前記突起は、前記上げ底から前記容器内部空間に膨出すること、
を特徴とする請求項１記載の即席食品用容器。
【請求項３】
前記突起は、曲面で構成されたドーム形状を有すること、
を特徴とする請求項１又は２記載の即席食品用容器。
【請求項４】
前記底面部の各辺と前記胴部との境界から前記容器内部空間へ膨出する４か所以上の棚を更に備えること、
を特徴とする請求項１乃至３の何れかに記載の即席食品用容器。
【請求項５】
前記棚は、前記底面部の各辺につき、辺の中心から等距離の位置の２か所から膨出すること、
を特徴とする請求項４記載の即席食品用容器。
【請求項６】
前記突起と前記棚は、前記底面部の枠状の端領域を内周側及び外周側から包囲して配置されること、
を特徴とする請求項４又は５記載の即席食品用容器。
【請求項７】
前記枠状の端領域は、前記底面部の各辺まで及ぶ糸尻であること、
を特徴とする請求項６記載の即席食品用容器。
【請求項８】
前記内部空間に収容される即席食品と、
前記胴部の口縁に貼り付いたシートと、
を更に備え、
前記即席食品が前記容器内部空間に密閉されること、
を特徴とする請求項１乃至７の何れかに記載の即席食品用容器。
【手続補正２】
【補正対象書類名】明細書
【補正対象項目名】００１２
【補正方法】変更
【補正の内容】
【００１２】
上記の目的を達成するため、本発明の即席食品用容器は、麺塊から突出したトゲ状の麺先を有する即席食品を落下させて収容する上面が開口した容器であって、該容器の底を塞ぐ底面部と、前記底面部の全周から立ち上がる胴部と、前記底面部と前記胴部により画成される容器内部空間へ前記底面部から膨出し、前記即席食品を接触して支持する３か所以上の突起と、を備えること、を特徴とする。
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
麺塊から突出したトゲ状の麺先を有する即席食品を落下させて収容する上面が開口した容器であって、
該容器の底を塞ぐ底面部と、
前記底面部の全周から立ち上がる胴部と、
前記底面部と前記胴部により画成される容器内部空間へ前記底面部から膨出し、前記即席食品を接触して支持する３か所以上の突起と、
前記底面部の各辺と前記胴部との境界から前記容器内部空間へ膨出する４か所以上の棚と、
を備え、
前記突起と前記棚は、前記底面部の枠状の端領域を内周側及び外周側から包囲して配置されること、
を特徴とする即席食品用容器。
【請求項２】
前記枠状の端領域は、前記底面部の各辺まで及ぶ糸尻であること、
を特徴とする請求項１記載の即席食品用容器。
【請求項３】
前記底面部の中央領域に上げ底を更に備え、
前記突起は、前記上げ底から前記容器内部空間に膨出すること、
を特徴とする請求項１又は２記載の即席食品用容器。
【請求項４】
前記突起は、曲面で構成されたドーム形状を有すること、
を特徴とする請求項１乃至３の何れかに記載の即席食品用容器。
【請求項５】
前記棚は、前記底面部の各辺につき、辺の中心から等距離の位置の２か所から膨出すること、
を特徴とする請求項４記載の即席食品用容器。
【請求項６】
前記内部空間に収容される即席食品と、
前記胴部の口縁に貼り付いたシートと、
を更に備え、
前記即席食品が前記容器内部空間に密閉されること、
を特徴とする請求項１乃至５の何れかに記載の即席食品用容器。
【手続補正２】
【補正対象書類名】明細書
【補正対象項目名】００１２
【補正方法】変更
【補正の内容】
【００１２】
上記の目的を達成するため、本発明の即席食品用容器は、麺塊から突出したトゲ状の麺先を有する即席食品を落下させて収容する上面が開口した容器であって、該容器の底を塞ぐ底面部と、前記底面部の全周から立ち上がる胴部と、前記底面部と前記胴部により画成される容器内部空間へ前記底面部から膨出し、前記即席食品を接触して支持する３か所以上の突起と、前記底面部の各辺と前記胴部との境界から前記容器内部空間へ膨出する４か所以上の棚と、を備え、前記突起と前記棚は、前記底面部の枠状の端領域を内周側及び外周側から包囲して配置されること、を特徴とする。前記枠状の端領域は、例えば、前記底面部の各辺まで及ぶ糸尻である。
【手続補正３】
【補正対象書類名】明細書
【補正対象項目名】００１５
【補正方法】削除
【補正の内容】
【手続補正４】
【補正対象書類名】明細書
【補正対象項目名】００１７
【補正方法】削除
【補正の内容】